(57)【要約】【課題】複数の種類の商品が同じ什器の同じ棚に陳列された場合であっても，商品の盗難を検知することができる盗難警報システムを提供する。【解決手段】トレー３には，トレー３内に存在する化粧品の総重量を計測するデジタル重量計３０が設けられ，什器２には，該総重量を監視し，該総重量が警報変動量以上になったとき，スピーカ２１に対して警報の発信を指示する盗難検知手段２０２と，盗難検知を実行する前に，該総重量に設定比率を乗算することで警報変動量を算出する警報変動量設定手段２０１を備えている。【選択図】図１
2010233864.tif 000002
【特許請求の範囲】
【請求項１】
什器に並べられたトレー内に陳列される商品の盗難を検知する盗難警報システムであって，前記トレー内に存在するすべての前記商品もしくは前記トレーの重さを加えた総重量を計測する重量センサが前記トレー毎に備えられ，前記什器には，前記重量センサのセンサ信号が入力される複数の入力ポートを有し，前記センサ信号から前記総重量を計測する重量計測手段と，盗難検知する順序が前記入力ポートのポート番号の並び順で示されるスケジュールデータと，警報を発信するときの前記総重量の変動量である警報変動量を前記ポート番号毎に記憶し，盗難検知の指示を受けると，盗難検知の対象となる前記入力ポートの前記センサ信号から前記総重量を計測・記憶した後，該重量計から取得した前回の前記総重量と今回の前記総重量の差である変動量を求め，該変動量が警報変動量以上である場合に警報装置に対して警報の発信を指示する一連の処理を，前記スケジュールデータに従い前記入力ポートを変更しながら繰り返し実行する盗難検知手段を備えていることを特徴とする盗難警報システム。
【請求項２】
請求項１に記載の盗難警報システムであって，前記什器には，前記警報変動量を設定する指示を受けると，前記入力ポートの前記センサ信号から取得した前記総重量に該入力ポートに設定された設定比率を乗算することで，警報を発信するときの前記総重量の変動量である警報変動量を算出し，前記入力ポートのポート番号に関連付けて前記警報変動量を記憶する処理を前記入力ポート毎に実行する警報変動量設定手段を備えていることを特徴とする盗難警報システム。
【請求項３】
請求項２に記載の盗難警報システムであって，前記トレーには，トレー識別子がエンコードされた識別媒体が設けられ，前記什器には，前記トレーに設けられた識別媒体を認識し，前記識別媒体にエンコードされた前記トレー識別子を取得するトレー識別手段が前記入力ポート毎に備えられ，前記警報変動量設定手段は，前記トレー識別子に関連付けて前記設定比率を記憶し，前記警報変動量を算出するとき，前記入力ポートに対応する前記トレー識別手段を作動させて前記トレー識別子を取得し，該トレー識別子に関連付けられた前記設定比率を用いて前記警報変動量を算出することを特徴とする盗難警報システム。
【請求項４】
請求項１から請求項３のいずれか一つに記載の盗難警報システムであって，前記什器に設けられる前記盗難検知手段は，前記変動量が前記警報変動量以上になった前記入力ポートのポート番号を少なくとも含む盗難検知ログを生成し，前記盗難警報システムには，前記什器から取得した前記盗難検知ログにおける前記入力ポートのポート番号の出現頻度を解析し，該頻度が閾値を超えた前記入力ポートを所定の時間間隔で盗難検知する前記スケジュールデータを生成するスケジュール生成装置を含むことを特徴とする盗難警報システム。
【請求項５】
請求項２から請求項４のいずれか一つに記載の盗難警報システムであって，前記什器に設けられた前記警報変動量設定手段は，盗難検知の指示を受けると，前記総重量を前記重量計から取得できなかった前記入力ポートのポート番号を記憶し，前記盗難検知の指示を受けた後に，前記警報変動量を設定する指示を受けると，該入力ポートに関してのみ，前記重量計から取得した前記トレーに係わる総重量に設定比率をかけることで前記警報変動量を算出し，該入力ポートのポート番号に関連付けて記憶されている前記警報変動量を更新する処理を実行することを特徴とする盗難警報システム。
【請求項６】
什器に並べられたトレー内に陳列される商品の盗難を検知する盗難警報方法であって，
前記トレー内に存在するすべての前記商品もしくは前記トレーの重さを加えた総重量を計測する前記重量センサのセンサ信号が入力される入力ポートの中から，盗難検知の対象となる前記入力ポートを選択し，該入力ポートの前記センサ信号から前記総重量を計測・記憶するステップａ１，該入力ポートの前回の前記総重量と今回の前記総重量の差である変動量を求めるステップａ２，前記入力ポートの番号に関連付けられ，警報を発信するときの前記総重量の変動量である警報変動量と該変動量を比較し，該変動量が該警報変動量である場合は警報装置に対して警報の発信を指示するステップａ３を，前記入力ポートのポート番号の並び順で盗難検知の順序が示されるスケジュールデータに従い，前記什器が，前記入力ポートを変更しながら繰り返し実行する盗難検知工程が実行されることを特徴とする盗難警報方法。
【請求項７】
請求項６に記載の盗難警報方法であって，前記什器が前記警報変動量を設定する指示を受けると，前記入力ポートに入力される前記センサ信号から計測した前記総重量に前記入力ポートに設定されている設定比率を乗算するステップｂ１，警報を発信するときの該総重量の変動量である警報変動量を算出し，前記入力ポートのポート番号に関連付けて前記警報変動量を記憶するステップｂ２を，前記什器が，前記入力ポート毎に実行する警報変動量設定工程を含むことを特徴とする盗難警報方法。
【請求項８】
請求項７に記載の盗難警報方法であって，前記警報変動量設定工程において，前記什器は，前記ステップｂ１において，前記トレーに設けられた識別媒体を認識し，前記識別媒体にエンコードされたトレー識別子を取得した後，前記トレー識別子に関連付けて記憶している前記設定比率の中から，該トレー識別子に関連付けられた前記設定比率を用いて前記警報変動量を算出することを特徴とする盗難警報方法。
【発明の詳細な説明】
【技術分野】
【０００１】
本発明は，店舗に設置される什器に陳列された商品の盗難を検知する技術に関する。
【背景技術】
【０００２】
店舗に設置される什器（例えば，陳列棚）に並べられた商品が盗難に遭い，店舗が不当な損害を被ることを防止するために，従来より，商品の盗難を防止する発明が考案されている。
【０００３】
例えば，盗難防止に利用するタグを商品に貼り，店舗のフロアの出入口に配置されたタグ検出装置が該タグを防止するように構成することで，盗難を防止する発明が開示されている（例えば，特許文献１及び特許文献２）。
【０００４】
特許文献１では，商品に貼られるタグをＲＦＩＤ（Radio Frequency IDentification）タグとした発明で，特許文献１で開示されている盗難警報システムには，ＲＩＦＤタグが金属に貼られた場合であっても盗難を防止できるように，ＲＦＩＤタグを検出する装置に加え，一定のサイズ以上の金属を検出する装置が備えられている。また，商品に貼られるタグはＲＦＩＤタグでなくともよく，特許文献２では，アモルファス合金、パーマロイなどの軟磁性材料を用いたタグとした発明が開示されている。
【０００５】
しかし，ＲＦＩＦタグ又は軟磁性材料を用いた盗難防止用タグのいずれでも，盗難を監視する商品にタグを貼る必要があるが，タグが貼れない商品（例えば，貴金属）の場合もあるため，タグを貼らずに商品の盗難を防止できることも必要になる。
【０００６】
タグを用いずに盗難を防止する発明として，商品の重さを利用する発明が特許文献３で開示されている。特許文献３で開示されている発明は，陳列棚の棚板とその上に載置された物品の合計総重量を常時計測し，該合計総重量が該合計総重量の初期値より減少し、かつ，所定時間内に該合計総重量の初期値に復帰しない場合に警報を発する方法である。
【０００７】
特許文献３で開示されている発明によれば，タグを貼らずに商品の盗難を防止できるようになるが，販売価格が高額で購入頻度の少ない商品（例えば，宝石）には適しているが，販売価格が安価で購入頻度の多い日常品（例えば，化粧品）には適していない。
【０００８】
何故なら，特許文献３で開示されている発明では，陳列棚の棚板とその上に載置された商品の合計総重量の減少及び復帰しか判断していないため，化粧品のように，重さの異なる複数の種類の商品が同じ什器の同じ棚に陳列された場合，重い商品を基準として，商品の合計総重量の減少値を設定すると，軽い商品が盗難にあったとき，警報を発することができない可能性がある。また，軽い商品を基準として，商品の合計総重量の減少値を設定すると，重い商品が盗難にあったとき，誤警報が発せられる可能性がある。
【０００９】
更に，特許文献３で開示されている発明のように，単に商品の合計総重量の減少を検知するだけでは，１日を通して購入される化粧品などにおいては，化粧品が購入される毎に，商品の合計総重量は盗難がないにも係わらず減少するため，化粧品が売れる度に誤警報が発せられる可能性がある。
【先行技術文献】
【特許文献】
【００１０】
【特許文献１】特開平８−５０６９０号公報
【特許文献２】特開平１０−１６２２６０号公報
【特許文献３】特開平１０−３０４９５４号公報
【発明の概要】
【発明が解決しようとする課題】
【００１１】
そこで，本発明は，重量を利用して商品の盗難を防止する際，化粧品のように，重さの異なる複数の種類の商品が同じ什器の同じ棚に陳列された場合であっても，商品の盗難を検知することができ，更に，什器に陳列された商品が購入された場合であっても，盗難を誤認識することない盗難警報システム及び方法を提供することを目的とする。
【課題を解決するための手段】
【００１２】
上述した課題を解決する第１の発明は，什器に並べられたトレー内に陳列される商品の盗難を検知する盗難警報システムであって，前記トレー内に存在するすべての前記商品もしくは前記トレーの重さを加えた総重量を計測する重量センサが前記トレー毎に備えられ，前記什器には，前記重量センサのセンサ信号が入力される複数の入力ポートを有し，前記センサ信号から前記総重量を計測する重量計測手段と，盗難検知する順序が前記入力ポートのポート番号の並び順で示されるスケジュールデータと，警報を発信するときの前記総重量の変動量である警報変動量を前記ポート番号毎に記憶し，盗難検知の指示を受けると，盗難検知の対象となる前記入力ポートの前記センサ信号から前記総重量を計測・記憶した後，該重量計から取得した前回の前記総重量と今回の前記総重量の差である変動量を求め，該変動量が警報変動量以上である場合に警報装置に対して警報の発信を指示する一連の処理を，前記スケジュールデータに従い前記入力ポートを変更しながら繰り返し実行する盗難検知手段を備えていることを特徴とする盗難警報システムである。
【００１３】
上述した第１の発明によれば，前記什器は，前記入力ポートに入力されるセンサ信号から計測される前記トレーの前記総重量の変動量を利用して前記トレー毎に盗難を検知するため，商品の種類毎に前記トレーを用意し前記トレーに前記商品を並べておけば，重さの異なる複数の種類の商品が同じ什器の同じ棚に陳列された場合であっても，商品の盗難を検知し警報を発することができるようになる。
【００１４】
更に，第１の発明では，前記トレーに係わる総重量そのものではなく，前記トレーに係わる総重量の変動から盗難を検知するため，前記什器に陳列された前記商品が販売されたことを盗難として誤検知することはなくなる。
【００１５】
更に，第２の発明は，第１の発明に記載の盗難警報システムであって，前記什器には，前記警報変動量を設定する指示を受けると，前記入力ポートの前記センサ信号から取得した前記総重量に該入力ポートに設定された設定比率を乗算することで，警報を発信するときの前記総重量の変動量である警報変動量を算出し，前記入力ポートのポート番号に関連付けて前記警報変動量を記憶する処理を前記入力ポート毎に実行する警報変動量設定手段を備えていることを特徴とする盗難警報システムである
【００１６】
上述した第２の発明によれば，前記什器に前記警報変動量設定手段を備えさせることで，前記警報変動量を前記入力ポートのポート番号に関連付けて記憶させるための処理時間を短時間で終了させることができる。
【００１７】
更に，第３の発明は，第２の発明に記載の盗難警報システムであって，前記トレーには，トレー識別子がエンコードされた識別媒体が設けられ，前記什器には，前記トレーに設けられた識別媒体を認識し，前記識別媒体にエンコードされた前記トレー識別子を取得するトレー識別手段が前記入力ポート毎に備えられ，前記警報変動量設定手段は，前記トレー識別子に関連付けて前記設定比率を記憶し，前記警報変動量を算出するとき，前記入力ポートに対応する前記トレー識別手段を作動させて前記トレー識別子を取得し，該トレー識別子に関連付けられた前記設定比率を用いて前記警報変動量を算出することを特徴とする盗難警報システムである。
【００１８】
上述した第３の発明によれば，前記商品の一つの重さが前記トレー毎で大幅に異なる場合であっても，前記什器に陳列された前記商品が購入されたことを盗難として誤検知することはなくなる。
【００１９】
更に，第４の発明は，第１の発明から第３の発明のいずれか一つに記載の盗難警報システムであって，前記什器に設けられる前記盗難検知手段は，前記変動量が前記警報変動量以上になった前記入力ポートのポート番号を少なくとも含む盗難検知ログを生成し，前記盗難警報システムには，前記什器から取得した前記盗難検知ログにおける前記入力ポートのポート番号の出現頻度を解析し，該頻度が閾値を超えた前記入力ポートを所定の時間間隔で盗難検知する前記スケジュールデータを生成するスケジュール生成装置を含むことを特徴とする盗難警報システムである。
【００２０】
上述した第４の発明によれば，前記重量センサを，前記什器の棚板上において前記トレーが配置される位置に応じて設け，更に，該位置で前記重量センサと前記什器を接続するように構成し，前記盗難検知ログにおける前記入力ポートのポート番号の出現頻度から盗難の頻度を求めれば，前記什器の棚板上において盗難に遭いやすい位置に載せられた前記トレーを重点的に盗難検知できるようになる。
【００２１】
更に，第５の発明は，第２の発明から第４の発明のいずれか一つに記載の盗難警報システムであって，前記什器に設けられた前記警報変動量設定手段は，盗難検知の指示を受けると，前記総重量を前記重量計から取得できなかった前記入力ポートのポート番号を記憶し，前記盗難検知の指示を受けた後に，前記警報変動量を設定する指示を受けると，該入力ポートに関してのみ，前記重量計から取得した前記トレーに係わる総重量に設定比率をかけることで前記警報変動量を算出し，該入力ポートのポート番号に関連付けて記憶されている前記警報変動量を更新する処理を実行することを特徴とする盗難警報システムである。
【００２２】
上述した第５の発明によれば，前記トレーに係わる総重量を取得できなかった前記入力ポートのポート番号に対応する前記トレーは，前記什器から取り外されていると考えられるため，前記トレーに並べられる前記商品が変更された場合は，該トレーに対応する前記警報変動量のみを更新できるようになる。
【００２３】
更に，第６の発明は，什器に並べられたトレー内に陳列される商品の盗難を検知する盗難警報方法であって，前記トレー内に存在するすべての前記商品もしくは前記トレーの重さを加えた総重量を計測する前記重量センサのセンサ信号が入力される入力ポートの中から，盗難検知の対象となる前記入力ポートを選択し，該入力ポートの前記センサ信号から前記総重量を計測・記憶するステップａ１，該入力ポートの前回の前記総重量と今回の前記総重量の差である変動量を求めるステップａ２，前記入力ポートの番号に関連付けられ，警報を発信するときの前記総重量の変動量である警報変動量と該変動量を比較し，該変動量が該警報変動量である場合は警報装置に対して警報の発信を指示するステップａ３を，前記入力ポートのポート番号の並び順で盗難検知の順序が示されるスケジュールデータに従い，前記什器が，前記入力ポートを変更しながら繰り返し実行する盗難検知工程が実行されることを特徴とする盗難警報方法である。
【００２４】
更に，第７の発明は，第６の発明に記載の盗難警報方法であって，前記什器が前記警報変動量を設定する指示を受けると，前記入力ポートに入力される前記センサ信号から計測した前記総重量に前記入力ポートに設定されている設定比率を乗算するステップｂ１，警報を発信するときの該総重量の変動量である警報変動量を算出し，前記入力ポートのポート番号に関連付けて前記警報変動量を記憶するステップｂ２を，前記什器が，前記入力ポート毎に実行する警報変動量設定工程を含むことを特徴とする盗難警報方法である。
【００２５】
更に，第８の発明は，第７の発明に記載の盗難警報方法であって，前記警報変動量設定工程において，前記什器は，前記ステップｂ１において，前記トレーに設けられた識別媒体を認識し，前記識別媒体にエンコードされたトレー識別子を取得した後，前記トレー識別子に関連付けて記憶している前記設定比率の中から，該トレー識別子に関連付けられた前記設定比率を用いて前記警報変動量を算出することを特徴とする盗難警報方法である。
【００２６】
上述した第６の発明から第８の発明は方法に係わる発明で，第１の発明から第３の発明と同様の効果が得られる。
【発明の効果】
【００２７】
このように本発明によれば，重量を利用して商品の盗難を防止する際，化粧品のように，重さの異なる複数の種類の商品が同じ什器の同じ棚に陳列された場合であっても，商品の盗難を検知することができ，更に，什器に陳列された商品が販売された場合であっても，盗難を誤認識することない盗難警報システム及び方法を提供できる。
【図面の簡単な説明】
【００２８】
【図１】本実施形態における盗難警報システムの外観を説明する図。
【図２】本実施形態におけるトレーのブロック図。
【図３】本実施形態における什器のブロック図。
【図４】什器が実行する一連の動作を説明するフロー図。
【図５】警報変動量設定工程を説明するフロー図。
【図６】盗難検知工程のフロー図。
【図７】スケジュールデータを説明する図。
【図８】識別媒体を備えたトレーを説明する図。
【図９】変形例１の什器を説明する図。
【図１０】変形例の盗難警報システムの構成を説明する図。
【図１１】スケジュール生成装置を説明する図。
【発明を実施するための形態】
【００２９】
ここから，本発明に係わる盗難警報システム１について，図を参照しながら詳細に説明する。図１は，本実施形態における盗難警報システム１の外観を説明する図である。
【００３０】
図１に図示したように，本実施形態は，商品（ここでは，化粧品）を陳列する陳列棚に本発明に係わる什器を適用した実施形態で，図１で図示した什器２の各棚板２ａには，口紅や洗髪剤などの化粧品の種類別に本発明に係わるトレー３（ここでは，合計８個）が載せられている。
【００３１】
本実施形態において，トレー３内に並べられている化粧品の総重量を計測する重量計の機能はトレー３に設けられている。什器２には，各トレー３が計測した総重量の変動量を演算し，該総重量の変動量を利用して化粧品の盗難を検知する機能を備えたコントローラ２０と，該重量の変動量が警報変動量を超えたときに警報音を発するスピーカ２１と，警報変動量を設定するときに押される設定ボタン２２ａと，盗難検知を開始するときに押される盗難検知ボタン２２ｂと，警報をリセットするときに押されるリセットボタン２２ｃが設けられている。
【００３２】
なお，図１では，警報を発する警報装置をスピーカ２１としているが，警報装置はスピーカ２１でなくともよく，光を用いて警報を発するライト，または，無線端末に警報を通知するようにすることもできる。
【００３３】
図２は，図１で図示した什器２に載せられるトレー３のブロック図である。トレー３の内部には，トレー３に並べられた化粧品の総重量を計測する重量センサ３０が設けられ，重量センサ３０の幅方向の左右にそれぞれには，重量に係わるセンサ信号を出力する２つのセンサ部３０１（例えば，ロードセル）と，センサ信号を増幅するなどして外部（ここでは，什器２）に出力する出力回路部３０２と，什器２のケーブルが挿入されるコネクタ部３０２ａが備えられている。
【００３４】
化粧品が並べられるトレー３の中板３ａは，トレー３の側面板３ｃ，前面板３ｄ及び背面板３ｂには固定されておらず，トレー３の中板ａは，重量センサ３０１に固定された構造としているため，重量センサ３０が出力するセンサ信号は，トレー３内に存在する化粧品の総重量に対応する。
【００３５】
図３は，図１で図示した什器２のブロック図である。図３に図示したように，什器２には，陳列棚に載せられた各トレー３に備えられた重力センサ３０からセンサ信号が入力される入力ポート２００ａを少なくともトレー３の数だけ有し，重力センサ３０から出力されるセンサ信号から総重量を演算することで，指定されたトレー３の総重量を計測する重量計測手段２００と，設定ボタン２２ａが押されたことを検知すると，重量計測手段２００に総重量の計測を指示し，各々の入力ポート２００ａに対する警報変動量を自動的に算出・設定する警報変動量設定手段２０１と，入力ポート２００ａに接続しているトレー３の総重量の変動量を監視することで，トレー３内に並べられた化粧品の盗難を検知する盗難検知手段２０２と，盗難検知手段２０２が盗難を検知したときに警報を発する警報装置となるスピーカ２１が設けられている。
【００３６】
什器２に備えられた重量計測手段２００が有する入力ポート２００ａは，トレー３に備えられた重量センサ３０の出力に依存し，重量センサ３０からの出力がアナログ信号ならば入力ポート２００ａはアナログ入力ポートになり，重量センサ３０からの出力がデジタル信号ならば入力ポート２００ａはデジタル入力ポートになる。
【００３７】
入力ポート２００ａそれぞれには，入力ポート２００ａ毎で異なるポート番号が割り振られ。本実施形態では，什器２に載せられたトレー３の数は８個であるため，重量計測手段２００は８個の入力ポート２００ａを有し，入力ポート２００ａには「１」から「８」までのポート番号が割り振られる。
【００３８】
なお，上述しているように，入力ポート２００ａから伸びているケーブル２００ｂの先端を，トレー３が配置される位置に応じて什器２の棚板２ａ上に出しておくことで，入力ポート２００ａのポート番号は，什器２の棚板２ａ上の位置を示すようにすることができる。
【００３９】
什器２に備えられるコントローラ２０は，ＣＰＵ，ＲＡＭ，ＲＯＭ及びハードディスクなどが実装されたボードコンピュータで実現される装置で，コントローラ２０のハードディスクには，コントローラ２０を重量計測手段２００，警報変動量設定手段２０１及び盗難検知手段２０２として機能させるためのコンピュータプログラムが記憶されている。
【００４０】
ここから，什器２に備えられるコントローラ２０によって実行される一連の動作を説明しながら，コントローラ２０に備えられる警報変動量設定手段２０１及び盗難検知手段２０２について詳細に説明する。なお，コントローラ２０に備えられる重量計測手段２００は，入力ポート２００ａが多点になる以外は，一般的なデジタル重量計の重量演算部と同じ仕組みであるため，詳細な説明を省く。
【００４１】
図４は，什器２が実行する一連の動作を説明するフロー図である。図４に図示したように，コントローラ２０は，まず，警報を発するときの重量の変動量である警報変動量を設定する警報変動量設定工程Ｓ１を実行し，その後に，警報変動量設定工程で設定された警報変動量に従い，什器２に陳列されている化粧品の盗難を検知する盗難検知工程Ｓ２を実行する。
【００４２】
図５は，コントローラ２０の警報変動量設定手段２０１によって実行される警報変動量設定工程Ｓ１を説明するフロー図である。コントローラ２０は，什器２に備えられた設定ボタン２２ａが押されると（Ｓ１０），警報変動量設定手段２０１を作動させる。
【００４３】
コントローラ２０の警報変動量設定手段２０１は，入力ポート２００ａのポート番号順に，入力ポート２００ａに接続したトレー３の総重量の計測を重量計測手段２００に指示した後（Ｓ１１），入力ポート２００ａに設定されている設定比率（例えば，５％）を該総重量に乗算することで該入力ポート２００ａの警報変動量を演算し，入力ポート２００ａのポート番号に関連付けて警報変動量をコントローラ２０のＲＡＭに記憶する共に，該総重量を初回の総重量として入力ポート２００ａのポート番号に関連付けて該ＲＡＭに記憶し（Ｓ１２），すべての入力ポート２００ａについて警報変動量を算出すると，図５で図示した手順は終了する。
【００４４】
次に，警報変動量設定工程Ｓ１で設定された警報変動量に従い，什器２に陳列されている商品の盗難を防止する盗難検知工程Ｓ２について説明する。
【００４５】
図６は，什器２のコントローラ２０が実行する盗難検知工程Ｓ２のフロー図である。什器２の盗難検知ボタン２２ｂが押されると，コントローラ２０は盗難検知手段２０２を作動させる。盗難検知手段２０２は，入力ポート２００ａのポート番号の並び順で盗難検知する順序が示されるスケジュールデータを記憶し，スケジュールデータに従い，盗難を検知する入力ポート２００ａを選択する（Ｓ２０）。
【００４６】
スケジュールデータには，入力ポート２００ａのポート番号の並び順で盗難検知する順序が示され，什器２の盗難検知手段２０２は，スケジュールデータの最後に記載された入力ポート２００ａのポート番号が盗難検知に利用すると，スケジュールデータの最初に記載された入力ポート２００ａのポート番号が盗難検知に利用する。
【００４７】
図７は，スケジュールデータを説明する図である。図７（ａ）で図示したスケジュールデータ４ａは，最もシンプルなスケジュールデータで，スケジュールデータ４ａには入力ポート２００ａのポート番号が重複することなく連番で記述されている。
【００４８】
図７（ａ）のスケジュールデータ４ａを利用すれば，盗難検知に利用される時間間隔は，各入力ポート２００ａで同じになる。
【００４９】
図７（ｂ）で図示したスケジュールデータ４ｂは，特定の入力ポート２００ａのポート番号，すなわち，什器２の特定の位置を重点的に盗難検知するように生成されたスケジュールデータ４ｂで，図７（ｂ）で図示したスケジュールデータ４ｂにおいては，入力ポート２００ａのポート番号が「１」のトレー３を重点的に盗難検知するように生成されている。
【００５０】
図７（ｂ）で図示したスケジュールデータ４ａでは，入力ポート２００ａのポート番号が「１」を３個に一つの割合で記述することで，３回に１回の割合で入力ポート２００ａのポート番号が「１」のトレー３を盗難検知に利用される。
【００５１】
図６の説明に戻る。コントローラ２０の盗難検知手段２０２は，スケジュールデータを参照して，盗難防止する一つの入力ポート２００ａのポート番号を選択すると，選択した入力ポート２００ａに接続されたトレー３の総重量の計測を重量計測手段２００に指示し，この時点の総重量を取得する（Ｓ２１）。
【００５２】
コントローラ２０の盗難検知手段２０２は，入力ポート２００ａに接続されたトレー３の今回の総重量を取得すると，該入力ポート２００ａのポート番号に関連付けて記憶している前回の総重量とこのとき取得した総重量の差を求めることで，総重量の変動量を算出した後，前回の総重量を今回の総重量に更新する（Ｓ２２）。
【００５３】
コントローラ２０の盗難検知手段２０２は，入力ポート２００ａに接続されたトレー３の総重量の変動量を算出すると，該入力ポート２００ａのポート番号に関連付けて記憶している警報変動量と該変動量を比較し，該入力ポート２００ａのポート番号に対応するトレー３に並べられている化粧品が盗難に遭ったか否かを判断する（Ｓ２３）。
【００５４】
コントローラ２０の盗難検知手段２０２は，選択した入力ポート２００ａのポート番号に接続されたトレー３の総重量の変動量が警報変動量以上であるとき，化粧品が盗難に遭ったと判断し，警報装置となるスピーカ２１に対して警告音の発信を指示した後（Ｓ２４），什器２に備えられたリセットボタン２２ｃが押されると，スピーカ２１に対して警告音の停止を指示し，Ｓ１０に戻り，スケジュールデータを参照して，次に盗難検知する入力ポート２００ａのポート番号を選択し，選択したポート番号に対応する入力ポート２００ａを利用して盗難検知を行う。
【００５５】
また，選択した入力ポート２００ａのポート番号に接続されたトレー３の総重量の変動量が該トレー３の警報変動量未満であるとき，コントローラ２０の盗難検知手段２０２は，警報装置となるスピーカ２１に警告音の発信を指示せずに，Ｓ１０に戻り，スケジュールデータを参照して，次に盗難検知する入力ポート２００ａのポート番号を一つ選択し，選択したポート番号に対応する入力ポート２００ａを利用して盗難検知を行う。
【００５６】
このように，コントローラ２０の盗難検知手段２０２は，スケジュールデータで示される順番通りに，什器２に陳列された各トレー３を盗難検知する動作をサイクリックに行い，コントローラ２０の電源が切断するなどして，盗難検知の終了が指示されると（Ｓ２５），図６で図示した手順を終了する。
【００５７】
なお，本発明は，これまで説明した実施形態に限定されることなく，種々の変形が可能である。
【００５８】
（変形例１）
什器が，警報を発するときの重量の変動量である警報変動量を求めるときに利用する設定比率をすべて同一（例えば，５％）にすることもできるが，様々な化粧品を什器に陳列することを考えると，軽い口紅から重い洗髪剤など，一つ当たりの重量が異なる化粧品が什器２に陳列される場合があり，このようなケースでは，トレー毎に設定比率を変更できることが望ましい。
【００５９】
何故なら，化粧品の場合，商品を１個単位で購入されるが，盗難されるときの商品の個数は１個ではなく，数個まとめて盗難に遭うことが多いため，警報変動量を求めるときに利用する設定比率がすべての化粧品で同一であると，盗難検知の際に誤検知が発生してしまう。
【００６０】
例えば，重い洗髪剤が一つのトレー３に載せられる数を１０個として，設定比率を１０％とすると，重い洗髪剤が一つ売れると誤警報が発せられてしまう。これに対して，口紅は軽いため，一つのトレー３に載せられる数は洗髪剤よりも多く（例えば，３０個），口紅が一つ売れても誤警報が発することはない。
【００６１】
警報変動量を算出ときに利用する設定比率をトレー３毎に設定するためには，トレー３を識別するためのトレー識別子をエンコードした識別媒体をトレー３に備えさせ，什器２に該識別媒体からトレー識別子を読み出す機能を備えさせて，これまで説明した警報変動量設定手段２０１に，トレー識別子に関連付けて設定比率を記憶したテーブルを持たせ，該テーブルを参照して警報変動量を算出できるようにすればよい。
【００６２】
図８は，識別媒体を備えたトレー５を説明する図である。図８で図示したトレー５には，トレー５のトレー識別子がエンコードされた識別媒体５００（例えば，光学マーク）がトレー５の底板の裏面に貼られ，図２で図示したトレー３と同じものについては同じ符号を付与している。なお，識別媒体５００としては，光学マーク５００以外に，トレー３毎に異なる切り欠きを識別媒体とすることもできる。
【００６３】
図９は，変形例１の什器６を説明する図である。図９で図示した什器６には，図８を用いて説明した識別媒体を認識するトレー識別手段６００が，入力ポート２００ａから伸びているケーブル２００ｂの先端で出ている位置に応じて配置されることで，一つのトレー識別手段６００が一つの入力ポート２００ａに対応するように備えられている。なお，図９では，図３の内容を同じものについては同じ符号を付与している。
【００６４】
什器２に備えられるトレー識別手段６００の仕様は，トレー３が有する識別媒体５００に依存し，識別媒体５００が光学マークならば，トレー識別手段６００は，光学マークにエンコードされたトレー識別子を読み取る光学センサになる。
【００６５】
更に，変形例１の警報変動量設定手段６０１は，トレー識別子に設定比率が関連付けられたテーブルを記憶し，上述した警報変動量設定工程において，警報変動量を算出するとき，入力ポート２００ａに対応するトレー識別手段６００を作動させ，トレー６に貼られた識別媒体５００からトレー識別子を取得し，該トレー識別子に関連付けられた設定比率を用いて警報変動量を算出する動作を行う。
【００６６】
（変形例２）
図１０は，変形例２の盗難警報システム７の構成を説明する図で，変形例２の盗難警報システム７は，什器８ａに加え，コントローラ２０が盗難検知するときに利用するスケジュールデータを生成するスケジュール生成装置８をネットワーク７ａ上に設けた変形例である。
【００６７】
図１０で図示した什器８ａに備えられている手段は，什器８ａの盗難検知手段が，警報を発すると共に，変動量が警報変動量以上になった入力ポート２００ａのポート番号を少なくとも含む盗難検知ログを生成し，生成した盗難検知ログをスケジュール生成装置８に送信する機能が追加される以外は，図３で説明した什器２と相違ない。
【００６８】
図１１は，変形例２で新規に備えられるスケジュール生成装置８を説明する図である。スケジュール生成装置は，ＣＰＵ，ＲＡＭ，ＲＯＭ，ハードディスク及びネットワーク通信インターフェースなどを備えた汎用のネットワークサーバで実現され，スケジュール生成装置８には，什器２から送信された盗難検知ログが記憶される盗難防止ログデータベース８０と，盗難検知ログを解析してスケジュールデータを自動的に生成するスケジュールデータ生成手段８１が備えられ，盗難防止ログデータベース８０及びスケジュールデータ生成手段８１は，スケジュール生成装置のハードウェア資源を利用し，各手段としてスケジュール生成装置を機能させるためのコンピュータプログラムで実現される。
【００６９】
スケジュール生成装置８の盗難検知ログデータベース８０には，什器２から受信した盗難検知ログが時系列で記憶され，スケジュール生成装置８のスケジュールデータ生成手段８１は，盗難検知ログデータベース８０に記憶された盗難検知ログにおける入力ポート２００ａのポート番号の出現頻度を解析し，出現頻度が閾値以上の入力ポート２００ａを所定の時間間隔で盗難検知に利用するためのスケジュールデータを生成する。
【００７０】
一つのチャンネルを盗難検知するのに要する時間はシステム的に定まるため，スケジュール生成装置８のスケジュールデータ生成手段８１は，出現頻度が閾値以上の入力ポート２００ａのポート番号がスケジュールデータに記述される間隔が所定時間に収まるように，該入力ポート２００ａのポート番号をスケジュールデータに記述する処理を行う。
【００７１】
なお，変形例２では，コントローラ２０が盗難検知するときに利用するスケジュールデータを生成するスケジュール生成装置８をネットワーク７ａ上に設けていたが，スケジュール生成装置８の機能は什器に持たせることもできる。
【００７２】
（変形例３）
上述した実施形態において，什器２に備えられた警報変動量設定手段２０１は，すべての入力ポート２００ａについて警報変動量を算出していたが，トレー３に並べられる化粧品が変更されない場合，警報変動量を変更する必要がないため，トレー３に並べられる化粧品が変更された場合は，そのトレー３に対応する警報変動量のみを算出するようにすることが望ましい。
【００７３】
トレー３に係わる総重量を取得できなかった入力ポート２００ａのポート番号に対応するトレー３は，化粧品を入れ替えるために，什器２から取り外されていると考えられるため，トレー３に並べられる化粧品が変更された場合は，そのトレー３に対応する警報変動量のみを算出するようにするために，盗難検知の指示を受けると，トレー３に係わる総重量を取得できなかった入力ポート２００ａのポート番号を記憶する機能を什器２の警報変動量設定手段２０１に備えさせ，更に，盗難検知の指示を受けた後に，設定ボタンが押されると，盗難検知をしているときにポート番号を記憶した入力ポート２００ａに関してのみ，トレー３から取得した総重量に設定比率をかけることで警報変動量を算出し，該入力ポート２００ａのポート番号に関連付けて記憶されている警報変動量を更新する機能を，什器２の警報変動量設定手段２０１に備えさせればよい。
【００７４】
なお，本明細書では，トレーにデジタル重量計を備えさせていたが，当然のことながら，デジタル重量計を什器の棚板に設けることもできる。
【符号の説明】
【００７５】
１  盗難警報システム
２  什器
２０  コントローラ
２００  重量計測手段
２００ａ  入力ポート
２０１  警報変動量設定手段
２０２  盗難検知手段
３  トレー
３０  デジタル重量計
【図１】
2010233864.tif 000003
【図２】
2010233864.tif 000004
【図３】
2010233864.tif 000005
【図４】
2010233864.tif 000006
【図５】
2010233864.tif 000007
【図６】
2010233864.tif 000008
【図７】
2010233864.tif 000009
【図８】
2010233864.tif 000010
【図９】
2010233864.tif 000011
【図１０】
2010233864.tif 000012
【図１１】
2010233864.tif 000013